(57)【要約】【課題】この発明は、被保持物の周縁部を利用しなくても被保持物を容易に吊り下げることができる吊り具を提供することを課題とする。【解決手段】取っ手部材１６の凸部１６ａが柱部８の溝８ａに係止されていない状態で本体１を被保持物の係合孔に差し込む。タング部材１１が係合孔を通過すると、取っ手部材１６及びロッド部材１５がバネ１８の付勢力により上方にスライドしてタング部材１３が突出位置Ｂに回動し、係合面１３が被保持物の係合孔の外周部に係合して吊り具が被保持物に取り付けられる。一方、この状態で取っ手部材１を下方に押すと、タング部材１１が格納位置Ａに位置すると共に取っ手部材１６がバネ１８の捩れを解消するように回動して凸部１６ａが溝８ａに係止し、これによりタング部材１１の格納位置Ａが保持されて被保持物から吊り具を取り外されるようになる。【選択図】　　　　図１
2004010214.tif 000002
【特許請求の範囲】
【請求項１】
被保持物に形成された係合孔に通される本体と、
前記本体の基端部に配置されると共に係止部を有する基端部材と、
前記本体内に格納される格納位置と前記本体の側方に突出する突出位置との間で移動自在に前記本体の先端部に取り付けられるタング部材と、
前記本体内に通されると共に一端が前記タング部材に連結され且つ他端が前記基端部材により前記本体の長手方向にスライド自在に保持されるロッド部材と、前記ロッド部材の他端に取り付けられると共に前記本体に対して回動自在な取っ手部材と
を備え、
前記取っ手部材と共に前記ロッド部材をスライドさせることにより前記タング部材を格納位置と突出位置とのいずれか一方に選択的に位置させ、前記タング部材が格納位置に位置するときに前記取っ手部材を回動して前記基端部材の係止部に係止させることにより前記タング部材の格納位置が保持されることを特徴とする吊り具。
【請求項２】
前記タング部材が突出位置に位置するように前記取っ手部材を付勢する付勢手段を更に備えることを特徴とする請求項１に記載の吊り具。
【発明の詳細な説明】
【０００１】
【発明の属する技術分野】
この発明は、吊り具に係り、特にコンクリートパネルやビームなどの被保持物を吊り下げるための吊り具に関する。
【０００２】
【従来の技術】
従来から、コンクリートパネル及びビームなどの被保持物を吊り下げる際には、Ｃ字型のクランプなどを被保持物の周縁部に取り付けて吊り下げを行っていた。
【０００３】
【発明が解決しようとする課題】
しかしながら、作業現場などにおいて被保持物の周りに大きなスペースがない場合には、上述のようなＣ字型のクランプを被保持物の周縁部に取り付けることができず、これにより被保持物を容易に吊り下げることができなかった。
また、厚いコンクリートパネルの場合、Ｃ字型のクランプを取り付けることができないため、その場合にはコンクリートパネルに貫通孔を形成し、この貫通孔に先端をループ形状にしたワイヤを通すと共にパネルの下面側でワイヤのループに丸棒を通してワイヤを上方に引くことにより、吊り下げを行っていた。しかしながら、丸棒をワイヤのループに通す作業はパネルの下方で行われるため、作業者が丸棒を確認することが難しく、それに起因して吊り下げ作業が困難になっていた。
この発明はこのような問題点を解消するためになされたもので、被保持物の周縁部を利用しなくても被保持物を容易に吊り下げることができる吊り具を提供することを目的とする。
【０００４】
【課題を解決するための手段】
この発明に係る吊り具は、被保持物に形成された係合孔に通される本体と、本体の基端部に配置されると共に係止部を有する基端部材と、本体内に格納される格納位置と本体の側方に突出する突出位置との間で移動自在に本体の先端部に取り付けられるタング部材と、本体内に通されると共に一端がタング部材に連結され且つ他端が基端部材により本体の長手方向にスライド自在に保持されるロッド部材と、ロッド部材の他端に取り付けられると共に本体に対して回動自在な取っ手部材とを備え、取っ手部材と共にロッド部材をスライドさせることによりタング部材を格納位置と突出位置とのいずれか一方に選択的に位置させ、タング部材が格納位置に位置するときに取っ手部材を回動して基端部材の係止部に係止させることによりタング部材の格納位置が保持されるものである。
また、タング部材が突出位置に位置するように取っ手部材を付勢する付勢手段を更に備えることが好ましい。
【０００５】
【発明の実施の形態】
以下、この発明の実施の形態を添付図面に基づいて説明する。
図１〜３にこの発明の実施の形態に係る吊り具を示す。この吊り具は、コンクリートパネルやビームなどの被保持物に形成された係合孔に通される本体１を有しており、本体１は互いに所定の間隔を隔てて平行に配置される２枚のプレート２から構成されると共にその先端部及び基端部にそれぞれ先端部材３と基端部材４とが配置されている。先端部材３は、２本のボルト５により２枚のプレート２の間に固定されると共にその一側の上面に凸部６が形成されている。一方、基端部材４は平板部７とこの平板部７のほぼ中央に垂直に固定された柱部８とから構成されており、これら平板部７及び柱部８がそれぞれ２枚のプレート２の間に固着されている。平板部７は貫通孔７ａを備える一方、柱部８のほぼ中央にはこの発明の係止部としての溝８ａが形成されている。また、基端部材４の上部には吊り孔９ａを有する吊り部材９が本体１の２枚のプレート２の間にボルト１０により回動自在に取り付けられている。なお、図３ではこれら吊り部材９及びボルト１０の図示が省略されている。
【０００６】
また、先端部材３の上部に所定の厚みを有するタング部材１１がボルト１２により２枚のプレート２の間に回動自在に取り付けられている。タング部材１１の一端には係合面１３が形成されており、タング部材１１は図１に実線で示されるように係合面１３が本体１内に格納される格納位置Ａと図１に二点鎖線で示されるように係合面１３が本体１の側方に突出する突出位置Ｂとの間で回動するようになっている。ここで、タング部材１１が突出位置Ｂにあるとき、係合面１３は本体１の長手方向に対して垂直に位置する。また、タング部材１１の他端には腕木１４が回動自在に取り付けられている。
【０００７】
一方、基端部材４の平板部７に形成された貫通孔７ａにロッド部材１５の一端が通され、スライド自在に保持されている。また、ロッド部材１５の他端はタング部材１１に配置された腕木１４に回動自在に取り付けられている。これにより、ロッド部材１５はその軸の回りに回動すると共に腕木１４の軸の回りに回動し、さらに本体１の長手方向にスライド自在になっている。平板部７の上方に位置するロッド部材１５の一端には取っ手部材１６がピン１７により固定されており、取っ手部材１６と共にロッド部材１５を上下にスライドさせることによりタング部材１１を上述の格納位置Ａと突出位置Ｂとの間で回動させることができる。
【０００８】
また、取っ手部材１６はその一端に凸部１６ａを有している。タング部材１１が突出位置Ｂに位置して取っ手部材１６が上昇しているときには、凸部１６ａと柱部８との干渉を回避するため、図３に二点鎖線で示されるように、取っ手部材１６を本体１に対して傾けた状態になっている。一方、タング部材１１が格納位置Ａに位置して取っ手部材１６が下降したときには、取っ手部材１６が柱部８の溝８ａと同じ高さとなり、図３に実線で示されるように、取っ手部材１６を回動することによりその凸部１６ａを柱部８の溝８ａに係止してタング部材１１の格納位置Ａを保持することができる。
【０００９】
さらに、取っ手部材１６の下端と基端部材４の平板部７の上面との間にはこの発明の付勢手段であるバネ１８が取り付けられており、取っ手部材１６を上方に引き上げるように付勢している。そのため、取っ手部材１６が柱部８の溝８ａに係止されていない場合には、取っ手部材１６と共にロッド部材１５が引き上げられてタング部材１１は突出位置Ｂに位置している。また、バネ１８は、図３に実線で示されるように、取っ手部材１６が２枚のプレート２と平行になる位置を中心としてその軸の回りの回動量に応じた捩れの復元力を発生するトーションスプリングの機能をも有している。従って、図１及び３に二点鎖線で示されるように、取っ手部材１６が捩られて上方に移動した状態から下方に引き下げられると、バネ１８の捩れを解消するように取っ手部材１６が回動してその凸部１６ａが柱部８の溝８ａにちょうど入り込むようになっている。
【００１０】
次に、この実施の形態に係る吊り具の作用について説明する。吊り具をコンクリートパネルやビームなどの被保持物に取り付ける際には次のような手順で作業を行う。なお、吊り具の取り付けは被保持物に形成されている係合孔を利用して行われるが、被保持物に形成されている既存の係合孔を利用して、あるいは被保持物に所定の係合孔を形成して行われる。図１に二点鎖線で示されるように、取っ手部材１６の凸部１６ａが柱部８の溝８ａに係止されずに引き上げられた状態にある場合、すなわち、タング部材１１が突出位置Ｂに位置してその係合面１３が本体１の側方に突出した状態にある場合、この状態のまま本体１を図示されない被保持物に形成された係合孔に差し込んでいく。このとき、本体１が被保持物の係合孔に差し込まれていくにつれて、タング部材１１はその突出した部分の下面が係合孔の外周部に押されることにより回動し、その係合面１３がバネ１８の付勢力に抗して本体１内に格納されていく。
【００１１】
そして、タング部材１１が被保持物の係合孔を通過すると、バネ１８の付勢力により取っ手部材１６及びロッド部材１５が上方にスライドしてタング部材１１の他端に固定された腕木１４が上昇することにより、タング部材１３が回動してその係合面１３が本体１の側方に突出する。ここで、タング部材１１の下面に先端部材３の凸部６が当接することにより、タング部材１１の回動が突出位置Ｂで規制される。このようにして本体１の側方に突出したタング部材１１の係合面１３が被保持物の係合孔の外周部に係合し、これにより吊り具の被保持物への取り付けが完了する。この状態で本体１の吊り部材９を介して被保持物が吊り下げられる。
【００１２】
一方、吊り具を被保持物から取り外す場合、図１に実線で示されるように取っ手部材１６を下方に押すと、取っ手部材１６と共にロッド部材１５が下方にスライドしてタング部材１１の他端に固定された腕木１４が下方に押されることにより、タング部材１１が格納位置Ａに回動してその係合面１３が本体１内に格納される。ここで、取っ手部材１６が柱部８の溝部８ａの高さまでくると、バネ１８の捩れを解消するように取っ手部材１６が回動してその凸部１６ａが柱部８の溝８ａに係止される。これによりタング部材１１の格納位置Ａが保持され、この状態で本体１を被保持物の係合孔から上方に引き抜くことにより吊り具が被保持物から取り外される。
【００１３】
以上のように、この発明の吊り具は、被保持物に形成された係合孔を利用し、取っ手部材１６が基端部材４の溝８ａに係止されていない状態で本体１を被保持物の係合孔に通すだけで、バネ１８の付勢力によりタング部材１１の係合面１３が本体１の側方へ突出して被保持物の係合孔の外周部に係合することによりワンタッチで取り付けが完了するので、被保持物への吊り具の取り付け／取り外しを容易に行うことができる。従って、被保持物の周縁部を利用しなくても、また被保持物の裏側に作業者の手が届かない場合でも、被保持物への吊り具の取り付け／取り外しを容易に行うことができ、これにより被保持物を容易に吊り下げることができる。
【００１４】
なお、上述の実施の形態では、ロッド部材１５をタング部材１１に対して回動自在にしていたが、この代わりに、取っ手部材１６をロッド部材１５に対して回動自在にしてもよく、取っ手部材１６が本体の基端部材４に対して回動してこの基端部材４の溝８ａに係止される位置と係止されない位置とのうち一方を選択できるようになっていればよい。
また、この発明の吊り具はコンクリートパネルやビームなどの被保持物だけでなく、所定の係合孔が形成された鋼材や構造物の吊り下げにも利用することができる。
【００１５】
【発明の効果】
以上説明したように、この発明によれば、取っ手部材と共にロッド部材をスライドさせることによりタング部材を格納位置と突出位置とのいずれか一方に選択的に位置させ、タング部材が格納位置に位置するときに取っ手部材を回動して基端部材の係止部に係止することによりタング部材の格納位置が保持されるようにしたので、被保持物の周縁部を利用しなくても被保持物を容易に吊り下げることができるようになった。
【図面の簡単な説明】
【図１】この発明の実施の形態に係る吊り具の正面断面図である。
【図２】実施の形態に係る吊り具の側面図である。
【図３】実施の形態に係る吊り具の一部を省略した平面断面図である。
【符号の説明】
１　本体、２　プレート、３　先端部材、４　基端部材、５，１０，１２　ボルト、６，１６ａ　凸部、７　平板部、７ａ　貫通孔、８　柱部、８ａ　溝、９吊り部材、９ａ　吊り孔、１０　ボルト、１１　タング部材、１３　係合面、１４　腕木、１５ロッド部材、１６　取っ手部材、１７　ピン、１８　バネ、Ａ
格納位置、Ｂ　突出位置。
【図１】
2004010214.tif 000003
【図２】
2004010214.tif 000004
【図３】
2004010214.tif 000005